(57)【特許請求の範囲】
【請求項１】
Ｘ線管を備えた収納容器内に絶縁オイルを収容すると共に、この絶縁オイルの膨張を吸収する膨張吸収部を備えるＸ線発生装置において、
前記膨張吸収部を、多孔質体と、この多孔質体の周囲及び底面に接するように設けられた皮膜とにより形成したことを特徴とするＸ線発生装置。
【請求項２】
前記多孔質体が単層の多孔質体により形成されていることを特徴とする請求項１記載のＸ線発生装置。
【請求項３】
前記多孔質体が多層の多孔質体により形成されていることを特徴とする請求項１記載のＸ線発生装置。
【請求項４】
前記多層の多孔質体は、低密度多孔質体及び高密度多孔質体により形成されていることを特徴とする請求項３記載のＸ線発生装置。
【請求項５】
前記膨張吸収部は、開口部が設けられると共に、前記低密度多孔質体及び前記高密度多孔質体を前記皮膜に固定させる固定板を有し、
前記高密度多孔質体は、前記固定板と前記低密度多孔質体との間に位置していることを特徴とする請求項４記載のＸ線発生装置。
【発明の詳細な説明】
【０００１】
【発明の属する技術分野】
この発明は、Ｘ線管の冷却及び高圧絶縁のための絶縁オイルの膨張を吸収する膨張吸収部を備えたＸ線発生装置に関するものである。
【０００２】
【従来の技術】
従来、Ｘ線発生装置においては、Ｘ線管を備えた収納容器内に絶縁オイルを収容し、Ｘ線管の冷却を行なうと共に高圧絶縁を行ない、Ｘ線発生装置としての性能の維持を図っている。このＸ線管を備えた収納容器は、絶縁オイルの蒸発及び酸化を防止するために、密封された構造になっていると共に、Ｘ線管の作動中に於けるＸ線管の発熱により絶縁オイルが膨張するため、ベローズやダイヤフラムなどの膨張吸収部を収納容器に設け、絶縁オイルの膨張を吸収し、収納容器内の圧力の上昇を抑制している（USP 4694486号公報、実開平４−６１８００号公報、実開平１−４５１２０号公報参照）。
【０００３】
【発明が解決しようとする課題】
ところで、大出力のＸ線発生装置においては、絶縁オイルの量が多く膨張量が大きいことから、大きなダイヤフラム等を設けることが必要になる。ここで、一般にダイヤフラムは、ある程度の厚みを持った皮膜により形成されていることから、大きなダイヤフラムを設けた場合には、絶縁オイルが膨張した場合に、ダイヤフラムが収縮し、鋭角状に折れ曲がることが多く、この収縮膨張を繰り返すことにより、ダイヤフラムが機械的な疲労を受けることにより、損傷を受け易い。従って、ダイヤフラムに損傷が生じた場合には、絶縁オイルの漏れ、絶縁オイルの劣化等が生じ、Ｘ線発生装置としての性能の維持が困難になるという問題が有った。
【０００４】
この発明の課題は、耐久性に優れる膨張吸収部を備えるＸ線発生装置を提供することである。
【０００５】
【課題を解決するための手段】
請求項１記載のＸ線発生装置は、Ｘ線管を備えた収納容器内に絶縁オイルを収容すると共に、この絶縁オイルの膨張を吸収する膨張吸収部を備えるＸ線発生装置において、前記膨張吸収部を、多孔質体と、この多孔質体の周囲及び底面に接するように設けられた皮膜とにより形成したことを特徴とする。
【０００６】
従って、この請求項１記載のＸ線発生装置によれば、多孔質体が収縮してもこの多孔質体が皮膜に接した状態で存在することにより、皮膜の折り目が丸みを帯びたものとなり、皮膜の損傷を防止することができる。
【０００７】
また、請求項２記載のＸ線発生装置は、請求項１記載のＸ線発生装置の前記多孔質体が単層の多孔質体により形成されていることを特徴とする。
【０００８】
また、請求項３記載のＸ線発生装置は、請求項１記載のＸ線発生装置の前記多孔質体が多層の多孔質体により形成されていることを特徴とする。
【０００９】
更に、請求項４記載のＸ線発生装置は、請求項３記載のＸ線発生装置の前記多層の多孔質体を、低密度多孔質体及び高密度多孔質体により形成したことを特徴とする。
【００１０】
従って、この請求項４記載のＸ線発生装置によれば、絶縁オイルが膨張し、低密度多孔質体が著しく変形した場合であっても、高密度多孔質体により、低密度多孔質体が膨張吸収部の外に押し出されることを防止することができる。
そして、請求項５記載のＸ線発生装置の前記膨張吸収部は、開口部が設けられると共に、前記低密度多孔質体及び前記高密度多孔質体を前記皮膜に固定させる固定板を有し、前記高密度多孔質体は、前記固定板と前記低密度多孔質体との間に位置していることを特徴とする。
従って、この請求項５記載のＸ線発生装置によれば、過剰な圧力が低密度多孔質体に掛かった場合でも、高密度多孔質体が固定板の開口部からある程度押し出されるため、膨張吸収部内の圧力を逃すことができる。
【００１１】
【実施例】
以下、図１を参照してこの発明の第１の実施の形態を説明する。
【００１２】
図１は、この発明が適用可能なＸ線発生装置の垂直部分断面図である。図１において、符号２で示すものは、Ｘ線管であり、このＸ線管２は、その一端にＸ線出射窓２ａを備えると共に、他端に高圧出力電極２ｂを備え、高圧出力電極２ｂに高圧電源回路（図示せず。）から高電圧を印加することにより、Ｘ線を発生するものである。
【００１３】
また、符号４で示すものは、金属性の収納容器であり、この収納容器４は、密封され内部に絶縁オイル６を収容するものである。また、この収納容器４の上面４ａには、上述のＸ線管２が、絶縁オイル６に漬かった状態で備えられている。更に、収納容器４の側壁４ｂには、膨張吸収部８が備えられている。
【００１４】
図２は、膨張吸収部８の垂直断面図である。この図に示すように、膨張吸収部８は、円筒形状を有するものである。即ち、円筒形状の低密度多孔質体８ａの上に円筒形状の高密度多孔質体８ｂが積み重ねられ、低密度多孔質体８ａ、高密度多孔質体８ｂの周囲にゴム製又は樹脂製の皮膜８ｃを設け、更に、高密度多孔質体８ｂの上面に中央部に膨張吸収部８内の圧力を逃がすための開口部８ｅが設けられた固定板８ｄを備えて構成されるものである。ここで、低密度多孔質体８ａ及び高密度多孔質体８ｂは、いずれも発泡性ウレタン、シリコーン樹脂等により形成されるものであり、低密度多孔質体８ａは、２０ｋｇ／ｍ３以下の密度を有するものであり、高密度多孔質体８ｂは、８０〜１２０ｋｇ／ｍ３の密度を有するものである。この膨張吸収部８は、皮膜８ｃの内部に、まず、低密度多孔質体８ａ、続いて高密度多孔質体８ｂを詰め込み、その後、低密度多孔質体８ａ及び高密度多孔質体８ｂを皮膜８ｃに固定するための固定板８ｄを取り付けることにより製造される。
【００１５】
この第１の実施の形態のＸ線発生装置を作動させることにより、絶縁オイル６が膨張し、収納容器４内の圧力が上昇した場合には、膨張吸収部８の低密度多孔質体８ａ及び高密度多孔質体８ｂが収縮することにより、収納容器４内の圧力の上昇が吸収される。この場合に、低密度多孔質体８ａ及び高密度多孔質体８ｂの収縮により皮膜８ｃに折り目が生じるが、皮膜８ｃの内部に低密度多孔質体８ａ及び高密度多孔質体８ｂが存在することから、皮膜８ｃの折り目が丸みを帯びたものとなり、皮膜８ｃの損傷を防止することができる。
【００１６】
また、低密度多孔質体８ａの上に、高密度多孔質体８ｂを備えていることから、高密度多孔質体８ｂにより、絶縁オイル６が膨張し、低密度多孔質体８ａが著しく変形した場合であっても、固定板の８ｄの中央部に設けられている開口部８ｅより，低密度多孔質体８ａが押し出されることを防止することができる。
【００１７】
更に、過剰な圧力が掛かった場合には、高密度多孔質体８ｂは固定板８ｄの開口部８ｅよりある程度、外側に押し出され圧力上昇を抑制するが、圧力低下と共に元どうりに復元する。
【００１８】
次に、図３を参照して、この発明の第２の実施の形態を説明する。
【００１９】
この発明の第２の実施の形態にかかるＸ線発生装置は、収納容器４に、Ｘ線管２を収容するＸ線管収容室１０と膨張吸収部８を収容する膨張吸収部収容室１２を別々に設けたものである。ここで、Ｘ線管収容室１０と膨張吸収部収容室１２とは、導通路１４を介して接続されており、Ｘ線管収容室１０及び膨張吸収部収容室１２には、絶縁オイル６が満たされている。なお、膨張吸収部８は、第１の実施の形態の膨張吸収部８と同一の構造を有するものである。
【００２０】
この第２の実施の形態のＸ線発生装置を作動させることにより、絶縁オイル６が膨張し、Ｘ線管収容室１０内の圧力が上昇した場合には、このＸ線管収容室１０内の圧力が導通路１２を介して膨張吸収部収容室１２に伝達され、膨張吸収部８によりこの圧力が吸収される。
【００２１】
次に、図４を参照して第３の実施の形態を説明する。
【００２２】
この発明の第３の実施の形態にかかるＸ線発生装置は、収納容器４に、３個の膨張吸収部８を設けたものである。即ち、図４は、Ｘ線発生装置の概略平面図であり、図中、符号４で示すものは、収納容器であり、この収納容器４の中には、絶縁オイル６が収容されている。また、この収納容器４の側壁には、Ｘ線管２が取り付けられていると共に、膨張吸収部８（第１の実施の形態の膨張吸収部８と同一の構造を有するもの）が３個取り付けられている。
【００２３】
なお、上述の実施の形態においては、膨張吸収部８を、皮膜８ｃの内部に低密度多孔質体８ａ及び高密度多孔質体８ｂを詰め込むことにより製造しているが、これに限定されることなく、低密度多孔質体及び高密度多孔質体を円筒状に形成した後に、その周囲にゴム又は樹脂をコーティングし皮膜を形成することにより製造することも可能である。
【００２４】
また、皮膜の中に、低密度多孔質体のみを詰め込み、その後、高密度多孔質体を低密度多孔質体の上より流し込むことにより製造することも可能である。
【００２５】
また、上述の実施の形態においては、膨張吸収部の多孔質体を、低密度多孔質体及び高密度多孔質体からなる多層の多孔質体としているが、これに限らず、低密度多孔質体又は高密度多孔質体からなる単層の多孔質体としてもよい。
【００２６】
【発明の効果】
この発明によれば、膨張吸収部の皮膜内に多孔質体を有することから、多孔質体が収縮した場合に、皮膜の折れ目が丸みを帯びたものとなり、亀裂等が生じにくくなる。従って、膨張吸収部の耐久性を高めることが可能となる。
【図面の簡単な説明】
【図１】この発明が適用可能な第１の実施の形態に係るＸ線発生装置の垂直部分断面図である。
【図２】この発明が適用可能な第１の実施の形態に係るＸ線発生装置に備えられている膨張吸収部の断面図である。
【図３】この発明が適用可能な第２の実施の形態に係るＸ線発生装置の垂直部分断面図である。
【図４】この発明が適用可能な第３の実施の形態に係るＸ線発生装置の垂直部分断面図である。
【符号の説明】
２…Ｘ線管、２ｂ…高圧出力電極、４…収納容器、６…絶縁オイル、８…膨張吸収部、８ａ…低密度多孔質体、８ｂ…高密度多孔質体、８ｃ…皮膜、８ｄ…固定板、８ｅ…開口部、１０…Ｘ線管収容室、１２…膨張吸収部収容室、１４…導通路。
【図１】
0003806460.tif 000002
【図２】
0003806460.tif 000003
【図３】
0003806460.tif 000004
【図４】
0003806460.tif 000005